(57)【特許請求の範囲】
【請求項１】
第１ケース体と第２ケース体とで開閉可能に構成される基板ケース内に、遊技機の制御基板を格納し、該基板ケースを防犯用の封止手段で封止する遊技機用基板ケースの封止装置であって、
前記封止手段は、前記基板ケースの開封時に外部から損壊して封止状態を解除する損壊部を備え、
前記損壊部は、少なくともその外側表面に、切断時に痕跡が残る脆弱性表面を備えており、
前記脆弱性表面は、前記損壊部の表面に形成した突条により構成され、
前記突条は、前記損壊部を切断する方向に間欠的に複数個設けられている、
ことを特徴とする遊技機用基板ケースの封止装置。
【請求項２】
第１ケース体と第２ケース体とで開閉可能に構成される基板ケース内に、遊技機の制御基板を格納し、該基板ケースを防犯用の封止手段で封止する遊技機用基板ケースの封止装置であって、
前記封止手段は複数設けられ、その各封止手段はそれぞれ前記基板ケースの開封時に外部から損壊して封止状態を解除する複数の損壊部を備え、
前記複数の損壊部のうちの少なくとも１つは、少なくともその外側表面に、切断時に痕跡が残る脆弱性表面を備えており、
前記脆弱性表面は、前記損壊部の表面に形成した突条により構成され、
前記突条は、前記損壊部を切断する方向に間欠的に複数個設けられている、
ことを特徴とする遊技機用基板ケースの封止装置。
【発明の詳細な説明】
【技術分野】
【０００１】
本発明は、パチンコ機、回胴式遊技機等の遊技機に係り、詳しくは、その遊技機用基板ケースの封止装置に関するものである。
【背景技術】
【０００２】
パチンコ機等の遊技機では、制御基板に対する不正を防止するため、制御基板を透明樹脂製の基板ケースに格納した後、この基板ケースを封止手段により封止して、基板ケースが不正に開封されないように構成している。この封止手段は、基板ケースを構成する第１ケース体と第２ケース体とを閉鎖状態で現状復帰不能に封止するもので、一旦制御基板を格納したまま封止してしまうと、損壊部を損壊して開封の痕跡を残さない限り、基板ケースを開いて内部の制御基板を取り出すことはできないようになっている。
【０００３】
また、封止された基板ケースを開封する場合には、たとえば封止装着部（保持部材）と第２ケース体との接続部分に設けられた損壊部を損壊して封止装着部を第２ケース体から切り離すことにより、第１ケース体と第２ケース体との封止を解除するように構成されている（たとえば特許文献１参照）。
【先行技術文献】
【特許文献】
【０００４】
【特許文献１】特開２０００−１２６４２０号公報
【発明の概要】
【発明が解決しようとする課題】
【０００５】
しかしながら、上記のような構成の下では、次のような課題がある。
【０００６】
損壊部は、従来、封止装着部と第２ケース体との空間に架橋された連結リブにより構成されるが、ニッパーなどの切断工具により容易に切断し得るように、その連結リブの切断方向の肉厚は比較的薄く形成されている。このため、特殊な切断工具を用いると、損壊部を切断痕跡が残らないような綺麗な切り口に切断し得る、という可能性を完全には払拭できない。
【０００７】
また、第１ケース体、第２ケース体および封止手段は、制御基板を外部から視認できるように透明樹脂部材で形成されている。そこで、不正に切断痕跡が残らないように損壊部を切断し、基板ケースを開封して何らかの不正行為を実施した後、透明な接着剤を用いて切り口を繋ぎ合わせ、これにより切断痕跡を視覚では発見し難い状態に損壊部を復元する、という不正行為の可能性が危惧される。
【０００８】
このように、従来の遊技機では、封止手段の封止装着部と第２ケース体とを接続する損壊部が不正に切断されたのにも拘わらず、その切断痕跡を見逃すおそれがあり、不正開封を見落とすおそれがあった。
【０００９】
そこで本発明の目的は、切断の痕跡を残さないで切断することが困難な構造の損壊部を有する遊技機用基板ケースの封止装置を提供することにある。
【課題を解決するための手段】
【００１０】
本発明の上記目的は、下記の手段によって達成される。なお括弧内は実施形態における対応要素を示すが、本発明はこれに限定されるものではない。
【００１１】
（１）第１ケース体（４１）と第２ケース体（４２）とで開閉可能に構成される基板ケース（４３）内に、遊技機の制御基板（１３）を格納し、該基板ケースを防犯用の封止手段（６４）で封止する遊技機用基板ケースの封止装置であって、
前記封止手段（６４）は、前記基板ケースの開封時に外部から損壊して封止状態を解除する損壊部（１０７、１０８ａ〜１０８ｄ）を備え、
前記損壊部は、少なくともその外側表面に、切断時に痕跡が残る脆弱性表面（１０７ａ）を備えている、ことを特徴とする遊技機用基板ケースの封止装置。
【００１２】
（２）第１ケース体（４１）と第２ケース体（４２）とで開閉可能に構成される基板ケース（４３）内に、遊技機の制御基板（１３）を格納し、該基板ケースを防犯用の封止手段（６４）で封止する遊技機用基板ケースの封止装置であって、
前記封止手段（６４）は複数（７３、７４）設けられ、その各封止手段（７３、７４）はそれぞれ前記基板ケースの開封時に外部から損壊して封止状態を解除する複数の損壊部（１０７、１０８ａ〜１０８ｄ）を備え、
前記複数の損壊部のうちの少なくとも１つは、少なくともその外側表面に、切断時に痕跡が残る脆弱性表面（１０７ａ）を備えている、
ことを特徴とする遊技機用基板ケースの封止装置。
【００１３】
（３）前記脆弱性表面は、前記損壊部の表面に形成した突条により構成されている、ことを特徴とする上記（１）または（２）に記載の遊技機用基板ケースの封止装置。
【００１４】
（４）前記突条は、前記損壊部を切断する方向に連続的に複数個設けられている、ことを特徴とする上記（３）に記載の遊技機用基板ケースの封止装置。
【００１５】
（５）前記突条は、断面が三角形、鋸歯状、波状の突条からなる、ことを特徴とする上記（３）または（４）に記載の遊技機用基板ケースの封止装置。
【００１６】
（６）前記損壊部は、門状、凹面状、凸面状、屋根状、台形状のいずれかの形状に構成されている、ことを特徴とする上記（１）〜（５）のいずれかに記載の遊技機用基板ケースの封止装置。
【００１７】
（７）前記封止手段は、封止された前記基板ケースを遊技機に取り付けた際、前記損壊部の前記脆弱性表面を備えた外側表面が外側から目視可能となるように構成されている、ことを特徴とする上記（１）〜（６）のいずれかに記載の遊技機用基板ケースの封止装置。
【発明の効果】
【００１８】
本発明では、封止装着部を支持する損壊部を何らかの切断工具を用いて切断しようとした場合、損壊部の外側表面に形成した脆弱性表面を切断しなければならない。この脆弱性表面は、たとえば断面が三角形、鋸歯状、波状の突条から構成されるため、切断時に三角形などの突条の頂部に傷が付いてしまい、切り口を綺麗に切断することができなくなる。したがって、仮に切り口を接着剤で接続してみても、その接続箇所に切断の痕跡が顕著に残り、外部から肉眼で直ぐに発見できる状態になる。このため切断箇所を繋ぎ合わせて元の状態に戻すという不正行為を未然に防止することができる。
【図面の簡単な説明】
【００１９】
【図１】本発明に係る主基板ケースユニット及び取付ベースの分解斜視図である。
【図２】主基板ケースユニットの要部分解斜視図である。
【図３】主基板ケースユニット及び取付ベースの要部分解斜視図である。
【図４】裏ケース体、表ケース体、閉鎖封止部材とこれらを連結する連結部材の関係を示す説明図である。
【図５】主基板ケースの結合・封止手順を示す説明図である。
【図６】主基板ケースの取付ベースへの装着・封止手順を示す説明図である。
【図７】取付ベース及び主基板ケースの封止状態での縦断面図である。
【図８】主基板ケースの取付ベースに対する封止の解除手順を示す説明図である。
【図９】主基板ケースの封止解除手順を示す説明図である。
【図１０】主基板ケースの２回目の封止手順を示す説明図である。
【図１１】主基板ケースの取付ベースへの２回目の封止手順を示す説明図である。
【図１２】主基板ケースの取付ベースに対する２回目の封止解除手順を示す説明図である。
【図１３】主基板ケースの２回目の封止解除手順を示す説明図である。
【図１４】損壊部の連結リブを切断して第１表ケース側封止装着部を取り外す手順を示した図である。
【図１５】第２表ケース側封止装着部が連結リブにより支持されている部分を示した拡大斜視図である。
【図１６】図１５の脆弱性表面を持つ連結リブの部分を拡大して示した図である。
【図１７】脆弱性表面を持つ連結リブの説明に供する図である。
【図１８】脆弱性表面を持つ連結リブの表面形状を例示した図である。
【図１９】脆弱性表面を持つ連結リブの表面形状の変形例を示した図である。
【図２０】脆弱性表面を持つ連結リブの全体の形状の変形例を示した図である。
【図２１】脆弱性表面を持つ連結リブの他の変形例を示した図である。
【発明を実施するための形態】
【００２０】
以下、図面を参照しながら、本発明に係る遊技機の実施形態について説明する。図１〜図１３は本発明を回胴式遊技機に採用した一実施形態を例示している。なお、以下の説明における上下左右の方向については、特に基準を示さない限り遊技機本体を前側から見た場合の上下左右をいうものとする。
【００２１】
本実施形態における回胴式遊技機は、前面側が開放された矩形状の木製の筐体と、その筐体の前面側を覆う矩形状の前扉とを備えており、筐体内には回胴装置ユニット（図示せず）が着脱可能に取り付けられると共に、その上方の前面側に図１に示す主基板ケースユニット１４が取付ベース３６を介して配設されている。
【００２２】
図１は主基板ケースユニット１４及び取付ベース３６の分解斜視図であり、これらは透明な合成樹脂で構成される。
【００２３】
主基板ケースユニット１４は内部に主制御基板１３を収納して保護するためのもので、図１に示すように、主制御基板（基板）１３と、互いに嵌め合わせ可能な裏ケース体（第１ケース体）４１と表ケース体（第２ケース体）４２とで開閉自在に構成されかつ内部に主制御基板１３を格納可能な主基板ケース（基板ケース）４３と、主制御基板１３上の特定のコネクタ６１ａをカバーするコネクタカバー４６と、主基板ケース４３を閉状態で封止する閉鎖封止部材４７と、主基板ケース４３を取付ベース３６に対して装着状態で封止する装着封止部材４８と、裏ケース体４１と表ケース体４２とを開閉可能に連結する第１連結手段４９ａおよび表ケース体４２と閉鎖封止部材４７とを封止操作可能に連結する第２連結手段４９ｂを有する連結部材５２と、主基板ケース４３上に貼付されたＩＣタグシール４５の表面を覆うシールカバー５０とを備えている。
【００２４】
また、主基板ケース４３は、裏ケース体４１と表ケース体４２とを所定方向、例えば左右方向（以下、閉鎖スライド方向という）に互いに相対的にスライドさせることにより、閉鎖ロック手段５３により互いに嵌め合わせた状態が保持される閉鎖ロック状態と保持されない閉鎖アンロック状態とを切り換え可能となっている。ここで、閉鎖ロック手段５３は、図１に示すように裏ケース体４１側の閉鎖係合手段５４と表ケース体４２側の閉鎖被係合手段５５とで構成されており、それら閉鎖係合手段５４と閉鎖被係合手段５５とが互いに係合する閉鎖ロック状態において閉鎖封止部材４７により封止（閉鎖封止状態）されるようになっている。
【００２５】
また、閉鎖封止状態の主基板ケース４３は、取付ベース３６に対して所定方向、例えば閉鎖スライド方向と同じ左右方向（以下、装着スライド方向という）に相対的にスライドさせることにより、装着ロック手段５６により装着状態が保持される装着ロック状態と保持されない装着アンロック状態とを切り換え可能となっている。なお、本実施形態では２種類の装着ロック状態が設けられており、取付ベース３６に対して主基板ケース４３を装着アンロック状態から装着スライド方向の一方、例えば右にスライドさせることにより第１装着ロック状態となり、主基板ケース４３を装着アンロック状態から装着スライド方向の他方、例えば左にスライドさせることにより第２装着ロック状態となるように構成されている。
【００２６】
ここで、装着ロック手段５６は、図１に示すように取付ベース３６側の装着係合手段５７と表ケース体４２側の装着被係合手段５８とで構成され、それら装着係合手段５７と装着被係合手段５８とが互いに係合する２種類の第１、第２装着ロック状態でそれぞれ封止（第１、第２装着封止状態）されるようになっているが、装着封止部材４８はそれら第１、第２装着ロック状態のうち、第１装着ロック状態での封止（第１装着封止状態）に用いられるようになっている。
【００２７】
主制御基板１３は、回胴装置の回転、停止その他の遊技動作を制御するためのもので、複数個のコネクタ６１、それらコネクタ６１よりも内側に配置されるＲＯＭ６２の電子部品が装着されている。
【００２８】
主基板ケース４３は、裏ケース体４１と表ケース体４２とを主制御基板１３の両側から互いに嵌め合わせることにより、基板格納部６３、封止部６４、ＩＣタグシール貼付部６５等が形成されるようになっている。
【００２９】
基板格納部６３は、主制御基板１３が格納される部分で、裏ケース体４１側の裏蓋部６３ａと表ケース体４２側の表蓋部６３ｂとで例えば前後に偏平な横長矩形状の箱形に形成されている。また、封止部６４は、閉鎖封止部材４７及び装着封止部材４８を装着して封止を行うための部分で、裏ケース体４１側の裏ケース側封止部６４ａと表ケース体４２側の表ケース側封止部６４ｂとで構成され、基板格納部６３に対して閉鎖スライド方向の一方側、例えば右側に配置されている。ＩＣタグシール貼付部６５は、ＩＣタグシール４５を貼付するための部分で、裏ケース体４１側の裏ケース側貼付部６５ａと表ケース体４２側の表ケース側貼付部６５ｂとで構成され、基板格納部６３に対して閉鎖スライド方向の一方側、例えば封止部６４と同じ右側に封止部６４と並んで配置されている。
【００３０】
なお、ＩＣタグシール貼付部６５に貼付されるＩＣタグシール４５は、図１に示すように、内部にＩＣチップとアンテナとを備えており、ＩＣチップ４５ｂには、当該パチンコ機の機種、制御基板の製造番号等の管理情報が記録されており、またベースシートの表面にはその管理情報と対応付けられた識別番号その他の識別情報が表示されている。
【００３１】
＜１．裏ケース体４１＞
裏ケース体４１は、主制御基板１３の裏面側に対応するもので、図１に示すように、基板格納部６３を構成する裏蓋部６３ａ、封止部６４を構成する裏ケース側封止部６４ａ、ＩＣタグシール貼付部６５を構成する裏ケース側貼付部６５ａ、連結部材５２の第１連結バンド部４９ａの先端を固定する固定ベース部６７等を一体に備えている。
【００３２】
裏蓋部６３ａは、底壁６８と、この底壁６８の上辺及び下辺に沿って立設される一対の嵌合壁６９、７０と、底壁６８の内面側に設けられる複数の基板支持リブ７１等を備えている。
【００３３】
嵌合壁６９、７０には、閉鎖ロック手段５３を構成する閉鎖係合手段５４が長手方向に沿ってそれぞれ４つずつ設けられている。この閉鎖係合手段５４は、図２に示すように、嵌合壁６９、７０の縁部から表ケース体４２側に向けて突出する係合脚部５４ａと、この係合脚部５４ａの先端側から閉鎖スライド方向の一方側、例えば封止部６４と反対側（ここでは左側）に突出する係合爪部５４ｂとで略Ｌ字型に形成されている。
【００３４】
図２に示すように、裏ケース側封止部６４ａは、裏蓋部６３ａの右側に一体に設けられており、裏蓋部６３ａ側の底壁６８から延設された裏カバー板７２（図３）と、この裏カバー板７２上に設けられた第１、第２裏ケース側封止装着部（甲ケース側封止装着部）７３ａ、７４ａと端部壁７５等を一体に備えている。
【００３５】
第１、第２裏ケース側封止装着部７３ａ、７４ａは、裏蓋部６３ａの右縁部に沿って上下に隣接して配置されおり、それぞれ表ケース体４２側に向けて開口する四角形の有底筒状に形成されており、図３に示すように、その底板部７６が裏カバー板７２の裏側に若干突出している。そして、この底板部７６には、装着スライド方向に対して直交する方向、すなわち上下方向に突出する一対の嵌合鍔部７７が一体に設けられている。
【００３６】
また、図３において、第２裏ケース側封止装着部７４ａの底板部７６上には、細長状の貫通孔７８が装着スライド方向に形成されている。更に、第１裏ケース側封止装着部７３ａの底板部７６上には、例えばその略中央に開口蓋７９が一体に設けられ、またその開口蓋７９に対する装着スライド方向の一方側、すなわち左側には係合突起８０が底板部７６の裏側に向けて突設されている。開口蓋７９は、底板部７６上の薄肉部７９ａで取り囲まれた部分で、強く押圧して周囲の薄肉部７９ａを損壊させることにより底板部７６から容易に分離して円形その他の開口部を形成するようになっている。なお、例えば第１、第２裏ケース側封止装着部７３ａ、７４ａの上下両側には、嵌合壁６９、７０に設けられているものと同様の閉鎖係合手段５４が、裏カバー板７２の内面側に突設されている。
【００３７】
図２を参照して、裏ケース側貼付部６５ａは、裏蓋部６３ａの右側でかつ裏ケース側封止部６４ａの上側に一体に設けられており、裏ケース側貼付面８２ａを備えている。この裏ケース側貼付面８２ａは、表ケース側貼付部６５ｂ側の表ケース側貼付面８２ｂと共にＩＣタグシール貼付面８２を構成する。
【００３８】
固定ベース部６７は、図４に示すようにカシメピン６７ｂを有して構成されている。
【００３９】
＜２．表ケース体４２＞
表ケース体４２は、主制御基板１３の電子部品装着面側に対応するもので、図１に示すように、基板格納部６３を構成する表蓋部６３ｂ、封止部６４を構成する表ケース側封止部６４ｂ、ＩＣタグシール貼付部６５を構成する表ケース側貼付部６５ｂ、連結部材５２の中間部である表ケース側固定部６６ｂを固定するための固定ベース部９２、封止に使用される前の閉鎖封止部材４７を装着するための封止部材ホルダ９３等を一体に備えている。
【００４０】
表蓋部６３ｂは、主制御基板１３の外縁を取り囲む上下左右の周壁９４〜９７と、主制御基板１３の電子部品装着面に対向する上壁９８とを一体に備え、裏ケース体４１側が開放されて開口９９を形成している。
【００４１】
図２に示すように、上壁９８は、その外周に沿って設けられた低壁部９８ａと、その低壁部９８ａの内側で外向き（前向き）に膨出する膨出部９８ｂとを備えている。低壁部９８ａ上には、主制御基板１３のコネクタ６１に対応して内向きに凹入する複数の凹部１００ａ〜１００ｃが設けられ、それら凹部１００ａ〜１００ｃにはコネクタ６１が嵌合するコネクタ嵌合孔１０１（図４参照）がそれぞれ１または複数設けられている。膨出部９８ｂは、主制御基板１３の電子部品装着面との間に電子部品の収容空間を確保するためのもので、ＲＯＭ６２に対応する位置にはＲＯＭ６２を不正に交換する行為等を防止するための凹部１０２が形成されている。
【００４２】
また、表蓋部６３ｂには、閉鎖ロック手段５３を構成する閉鎖被係合手段５５と、装着ロック手段５６を構成する装着被係合手段５８とが、その上下の周壁９４、９５に沿って配置されている。すなわち、図２、図４等に示すように、上下の周壁９４、９５の内側にはそれぞれ若干の隙間を挟んで内ガイド板９４ａ、９５ａ及び外ガイド板９４ｂ、９５ｂが上壁９８の裏側に向けて立設されており、内ガイド板９４ａ、９５ａと外ガイド板９４ｂ、９５ｂとの間の閉鎖ガイド溝１０３内に閉鎖被係合手段５５が、外ガイド板９４ｂ、９５ｂと周壁９４、９５との間の装着ガイド溝１０４（図４参照）内に装着被係合手段５８（図１）が、それぞれ設けられている。
【００４３】
閉鎖被係合手段５５は、裏ケース体４１側に設けた閉鎖係合手段５４に対応して各４つ設けられており、図２に示すように、裏ケース体４１と表ケース体４２とを互いに嵌め合わせたときに閉鎖係合手段５４の係合爪部５４ｂが嵌合する嵌合部５５ａと（閉鎖アンロック状態）、その状態から表ケース体４２を裏ケース体４１に対して閉鎖ガイド溝１０３に沿って所定の向き（ここでは右向きとする）に相対的にスライドさせることにより係合爪部５４ｂが係合する被係合部５５ｂと（閉鎖ロック状態）で構成されている。
【００４４】
また、装着被係合手段５８は、装着ガイド溝１０４内に各４つ設けられており、図３に示すように、主基板ケース４３を取付ベース３６に嵌め込んだときに装着係合手段５７の第１、第２係合爪部５７ｂ、５７ｃが嵌合する嵌合部５８ａと（装着アンロック状態）、その装着アンロック状態から主基板ケース４３を取付ベース３６に対して装着ガイド溝１０４に沿って一方側（ここでは右向きとする）に相対的にスライドさせることにより第１係合爪部５７ｂが係合する第１被係合部５８ｂと（装着ロック状態）、装着アンロック状態から主基板ケース４３を取付ベース３６に対して装着ガイド溝１０４に沿って他方側（ここでは左向きとする）に相対的にスライドさせることにより第２係合爪部５７ｃが係合する第２被係合部５８ｃと（装着ロック状態）で構成されている。
【００４５】
このような表蓋部６３ｂに対し、主制御基板１３は、コネクタ６１をコネクタ嵌合孔１０１に嵌合させつつ開口９９側から嵌め込まれ、電子部品装着面を凹部１００ａ〜１００ｃの内面側に当接させた状態でねじ止め等により着脱自在に固定される。また、表蓋部６３ｂには、コネクタカバー４６が着脱自在に装着可能となっている。
【００４６】
表ケース側封止部６４ｂは、裏ケース体４１側の裏ケース側封止部６４ａに対応して表蓋部６３ｂの例えば右側に一体に設けられており、図２、図４に示すように、裏ケース側封止部６４ａ側の第１、第２裏ケース側封止装着部７３ａ、７４ａに対応する２つの第１、第２表ケース側封止装着部（乙ケース側封止装着部）７３ｂ、７４ｂと、これら第１、第２表ケース側封止装着部７３ｂ、７４ｂをそれぞれ１または複数の連結リブ（損壊部）１０８ａ〜１０８ｄおよび１０７を介して支持する封止支持フレーム１０９とを備えている。
【００４７】
第１、第２表ケース側封止装着部７３ｂ、７４ｂは、裏ケース側封止部６４ａ側の第１、第２裏ケース側封止装着部７３ａ、７４ａと共にそれぞれ第１、第２封止装着部７３、７４を構成するもので、この例では四角形の筒状に形成されており、裏ケース体４１と表ケース体４２とが閉鎖ロック状態となったときに、第１、第２裏ケース側封止装着部７３ａ、７４ａに対して閉鎖スライド方向に対して直交する方向、すなわち前後方向に合致して、第１、第２裏ケース側封止装着部７３ａ、７４ａと共に各１本の筒体を形成するように配置されている。
【００４８】
また、第２表ケース側封止装着部７４ｂには、第２裏ケース側封止装着部７４ａとは反対側の端部（以下、外側端部）を閉鎖する閉鎖蓋１１０が一体に設けられている。閉鎖蓋１１０は、その周囲が薄肉部１１０ａを介して第２表ケース側封止装着部７４ｂの外側端部に一体に設けられており、強く押圧して周囲の薄肉部１１０ａを損壊させることにより第２表ケース側封止装着部７４ｂから容易に分離し、それによって外側端部が開放されるようになっている。
【００４９】
封止支持フレーム１０９は、第１、第２表ケース側封止装着部７３ｂ、７４ｂの周囲を一定の隙間を介して取り囲む矩形枠状に形成され、表蓋部６３ｂの右周壁９７の外面側に一体に設けられている。そして、この封止支持フレーム１０９に、４つの連結リブ１０８ａ〜１０８ｄにより第１表ケース側封止装着部７３ｂが一体に連結され、また３つの連結リブ１０８ｃ、１０８ｄおよび１０７により第２表ケース側封止装着部７４ｂが一体に連結されている。また、封止支持フレーム１０９上には、裏ケース側封止部６４ａに設けられた閉鎖係合手段５４に対応して、例えばその上下両端側に閉鎖ガイド溝１０３内と同様の閉鎖被係合手段５５が設けられている。
【００５０】
ここで、第１表ケース側封止装着部７３ｂの片側を支持する２つの連結リブ１０８ａ〜１０８ｂ、および他の片側を支持する連結リブ１０８ｃ〜１０８ｄは、長方形断面の板状に形成されている。また、第２表ケース側封止装着部７４ｂの片側を支持する２つの連結リブ１０８ｃ〜１０８ｄも、同様に長方形断面の板状に形成されている。しかし、第２表ケース側封止装着部７４ｂの他の片側を支持する連結リブ１０７は、表面を脆弱性のある特殊形状とした１つの連結リブとして形成されている。この連結リブ１０７の表面を脆弱性のある特殊形状とした作用効果については図１５〜図１７において後述する。
【００５１】
表ケース側貼付部６５ｂは、正面視略矩形状の表ケース側貼付面８２ｂを備えており、表ケース側貼付面８２ｂが裏ケース側貼付面８２ａと閉鎖スライド方向に連結して１つのＩＣタグシール貼付面８２を形成するようになっている。
【００５２】
また、表ケース側貼付面８２ｂの近傍には、図２、図４等に示すようにシールカバー５０を主基板ケース４３に封止するための被結合部１１２が、複数のスリットにより形成されている。
【００５３】
固定ベース部９２は、第１表ケース側封止装着部７３ｂの近傍において封止支持フレーム１０９に一体に形成されており、図２、図４に示すように２本のカシメピン９２ｂを備えて構成されている。
【００５４】
封止部材ホルダ９３は固定ベース部９２の下側に配置され、表蓋部６３ｂの右周壁９７から閉鎖スライド方向に突設される上下一対の保持片９３ａにより構成されている。
【００５５】
＜３．閉鎖封止部材４７＞
閉鎖封止部材４７は、主基板ケース４３等とは別体に形成され、例えば１つの主基板ケース４３に対して１個設けられており、図２、図４に示すように、挿通軸部１２１と、この挿通軸部１２１の挿入方向後端側に設けられた鍔部１２２と、挿通軸部１２１上に設けられた抜け止め係合爪（抜け止め部）１２３と、挿通軸部１２１の挿入方向後端側に設けられた固定ベース部１２４とを一体に備えている。
【００５６】
挿通軸部１２１は、主基板ケース４３が閉鎖ロック状態のときに第１表ケース側封止装着部７３ｂと第１裏ケース側封止装着部７３ａとに跨るように第１封止装着部７３内に挿通されて閉鎖アンロック状態側へのスライドを阻止するもので、第１封止装着部７３の内側に略隙間なく挿通可能な形状、例えば四角形の筒状に形成されており、その軸方向長さは第１封止装着部７３の内部長さと略一致している。また、挿通軸部１２１の外周面上には、第１封止装着部７３の内面側に形成された溝１２５に対応して軸方向の突条１２６が設けられており、この突条１２６を溝１２５に嵌合させた状態でなければ挿通軸部１２１が第１封止装着部７３に挿通不可能とすることで第１封止装着部７３に装着する際の閉鎖封止部材４７の方向が規定されている。
【００５７】
鍔部１２２は、筒状に形成された挿通軸部１２１の後端側を閉鎖すると共に、その外縁側が挿通軸部１２１の外周面よりも外側に鍔状に突出しており、挿通軸部１２１を第１封止装着部７３内に挿通させたとき、第１表ケース側封止装着部７３ｂの外側端部に略当接して挿入方向への移動を所定位置で規制するようになっている。
【００５８】
抜け止め係合爪１２３は、第１封止装着部７３に挿通された挿通軸部１２１の抜けを阻止するもので、挿通軸部１２１の外周側に１または複数、例えば２つ設けられている。この抜け止め係合爪１２３は、挿通軸部１２１の外周面よりも外側に突出する突出状態と突出しない退避状態とに切り換え可能でかつ突出状態側に弾性付勢され、挿通軸部１２１が第１封止装着部７３に挿通されたときに第１表ケース側封止装着部７３ｂの裏側端部に係合するように、挿通軸部１２１の軸方向中間位置に配置されている。
【００５９】
固定ベース部１２４は、連結部材５２の第２連結バンド部４９ｂの先端を固定するための部位であり、鍔部１２２から略垂直に突設される１本のカシメピン１２４ｂを有している。
【００６０】
＜４．装着封止部材４８＞
装着封止部材４８は、主基板ケース４３、閉鎖封止部材４７等とは別体に形成され、例えば１つの主基板ケース４３に対して１個設けられており、図２に示すように、挿入本体部１２７と、この挿入本体部１２７の挿入方向先端側に設けられた突起部１２８とを一体に備えている。
【００６１】
挿入本体部１２７は、突起部１２８を貫通孔７８から外側に突出させた状態で保持すべく第２封止装着部７４内に挿入されるもので、第２封止装着部７４の内側に略隙間なく収容可能な形状、ここでは四角形の筒状に形成されており、その軸方向長さは第２裏ケース側封止装着部７４ａの内部長さと略一致している。また、挿入本体部１２７の外周面上にも、閉鎖封止部材４７と同様、第２封止装着部７４の内面側に形成された溝１２５に対応して軸方向の突条１２６が設けられている。なお、第２表ケース側封止装着部７４ｂ側の閉鎖蓋１１０には、図７等に示すようにその内面側に押さえリブ１２９が突設されており、主基板ケース４３が閉鎖ロック状態のときにその押さえリブ１２９が挿入本体部１２７の挿入方向後端側に略当接することにより、装着封止部材４８の第２封止装着部７４内での軸方向移動が規制されるようになっている。
【００６２】
突起部１２８は、挿入本体部１２７の挿入方向先端側の略中央から軸方向に突出しており、装着封止部材４８が第２封止装着部７４内に装着されたとき、図３に示すように貫通孔７８を介して裏ケース体４１の裏側に突出するようになっている。また、突起部１２８の先端部は装着スライド方向のロック側（右側）からアンロック側（左側）に向けて徐々に突出量が大きくなる傾斜状に形成されている。なお、突起部１２８は貫通孔７８の形状に対応して例えば装着スライド方向に沿った板状に形成され、挿入本体部１２７内に軸方向に配置された補強リブ等を介して挿入本体部１２７に一体に設けられている。
【００６３】
＜５．連結部材５２＞
連結部材５２は、裏ケース体４１、表ケース体４２、閉鎖封止部材４７の三者を連結するもので、図４に示すように、裏ケース体４１側の固定ベース部６７に先端が着脱不能に固定される第１連結バンド部４９ａと、表ケース体４２側の固定ベース部９２に着脱不能に固定される表ケース側固定部６６ｂと、閉鎖封止部材４７側の固定ベース部１２４に先端が着脱不能に固定される第２連結バンド部４９ｂとを備え、合成樹脂により一体成形されている。
【００６４】
ここで、第１連結バンド部４９ａ及び表ケース側固定部６６ｂが、裏ケース体４１と表ケース体４２とを開閉可能な状態で連結し、表ケース側固定部６６ｂ及び第２連結バンド部４９ｂが、表ケース体４２と閉鎖封止部材４７とを封止操作可能な状態で連結する。
【００６５】
シールカバー５０は、ＩＣタグシール貼付面８２上のＩＣタグシール４５の表面に略密着されたとき、シールカバー５０の結合ピン（図示せず）が被結合部１１２の挿通スリットに係合するようになっている。
【００６６】
＜６．取付ベース３６＞
取付ベース３６は、図１に示すように、主基板ケース４３の裏面に対応する略矩形状に形成されたベース板１５１と、主基板ケース４３の装着ガイド溝１０４に対応してベース板１５１の上下両縁に沿って前向き突出状に設けられる装着レール板１５２、１５３と、ベース板１５１の装着スライド方向の一方側（ここでは右側）の縁部に沿って前向き突出状に設けられるスライド規制板１５４と、上下の装着レール板１５２、１５３の外側にそれぞれ前向き突出状に設けられる仮固定フック１５５、１５６とを一体に備えており、ベース板１５１に設けられた複数の固定孔１５１ａにおいて遊技機筐体内の前面側にねじ止め固定されている。なお、取付ベース３６に主基板ケース４３を装着した状態ではその主基板ケース４３によって固定孔１５１ａ及び固定ねじ（図示省略）が覆われてしまうため、パチンコ遊技機から取付ベース３６ごと主基板ケース４３を取り外すことはできない。
【００６７】
装着レール板１５２、１５３には、装着ロック手段５６を構成する装着係合手段５７が長手方向に沿ってそれぞれ４つずつ設けられている。この装着係合手段５７は、図３に示すように、装着レール板１５２、１５３の縁部から主基板ケース４３側（前側）に向けて突出する係合脚部５７ａと、この係合脚部５７ａの先端側から装着レール板１５２、１５３の長手方向に沿って装着スライド方向の一方側、例えば左側に突出する第１係合爪部５７ｂと、同じく係合脚部５７ａの先端側から装着スライド方向の他方側、例えば右側に突出する第２係合爪部５７ｃとで略Ｔ字型に形成されており、主基板ケース４３が取付ベース３６に嵌め込まれて装着アンロック状態となったときに装着係合手段５７の第１、第２係合爪部５７ｂ、５７ｃが装着被係合手段５８の嵌合部５８ａに嵌合し、その状態から主基板ケース４３を取付ベース３６に対して右向きに相対的にスライドさせることにより第１係合爪部５７ｂが装着被係合手段５８の第１被係合部５８ｂに係合して第１装着ロック状態となり、または装着アンロック状態から主基板ケース４３を取付ベース３６に対して左向きに相対的にスライドさせることにより第２係合爪部５７ｃが装着被係合手段５８の第２被係合部５８ｃに係合して第２装着ロック状態となるように構成されている。
【００６８】
また、ベース板１５１上には、２組の第１、第２装着封止係合爪１５７、１５８が設けられている。第１装着封止係合爪１５７は、第１装着ロック状態での封止に用いられるもので、装着封止部材４８の突起部１２８に対応して設けられており、ベース板１５１上に装着スライド方向に沿って形成された第１凹入部１５９内に設けられている。この第１装着封止係合爪１５７は、装着封止部材４８の突起部１２８に係合可能な係合位置と係合しない退避位置とに切り換え可能でかつ係合位置側に弾性付勢され、装着スライド方向に沿ってその第１装着ロック側（右端側）が係合面１６０ａ、前面側が傾斜状の案内面１６０ｂとなっており、主基板ケース４３が取付ベース３６に対して装着アンロック状態から第１装着ロック状態となるまで右向きにスライドされたとき、係合面１６０ａが装着封止部材４８の突起部１２８の左側に係合して装着アンロック状態側（左側）へのスライドを規制するようになっている。
【００６９】
また、第２装着封止係合爪１５８は、第２装着ロック状態での封止に用いられるもので、裏ケース体４１側の係合突起８０に対応して設けられており、例えばベース板１５１上に装着スライド方向に沿って形成された第２凹入部１６１内に設けられている。この第２装着封止係合爪１５８は、第１装着封止係合爪１５７と同様の形状に形成されているが、第１装着封止係合爪１５７とは左右逆に配置されており、主基板ケース４３が取付ベース３６に対して装着アンロック状態から第２装着ロック状態となるまで左向きにスライドされたとき、係合面１６０ａが裏ケース体４１側の係合突起８０の右側に係合して装着アンロック状態側（右側）へのスライドを規制するようになっている。
【００７０】
なお、第１、第２装着封止係合爪１５７、１５８の両側には、第１、第２装着ロック状態のときに嵌合鍔部７７がそれぞれ嵌合してベース板１５１から離間する方向への移動を規制する第１、第２装着嵌合溝１６２、１６３が設けられている。
【００７１】
更に、ベース板１５１の前面側には、図３に示すように主基板ケース４３の装着アンロック状態から第２装着ロック状態側への移動を規制する突起状のスライド規制部１６４が設けられている。主基板ケース４３側には、裏ケース体４１の裏側にこのスライド規制部１６４に対応する突起部１６５が一体に設けられており、主基板ケース４３が取付ベース３６に装着されて装着アンロック状態となったとき、突起部１６５がスライド規制部１６４の右側に係合して第２装着ロック状態側へのスライドが規制されるようになっている。なお、突起部１６５はニッパー等により容易に除去可能となっており、この突起部１６５を除去することにより装着アンロック状態から第２装着ロック状態側へのスライドが可能となる。
【００７２】
仮固定フック１５５、１５６は、取付ベース３６に装着された主基板ケース４３を装着アンロック状態で仮固定するためのもので、例えば取付ベース３６の上下に１組設けられており、主基板ケース４３の上周壁９４及び下周壁９５に沿ってその前縁側に係脱自在に係合して主基板ケース４３を保持するようになっている。
【００７３】
また、主基板ケース４３側には、図２に示すように、表ケース体４２上に、下側の仮固定フック１５６に対応する位置決めリブ１６６が一体に設けられている。この位置決めリブ１６６は、主基板ケース４３が取付ベース３６に装着されて装着アンロック状態となったときに仮固定フック１５６に対して装着スライド方向の一方側、例えば第１装着ロック側（右側）に略当接する位置に配置されており、この位置決めリブ１６６を仮固定フック１５６の右側に沿わせながら主基板ケース４３を取付ベース３６に装着すれば容易に装着アンロック状態に位置決めできる。なお、主基板ケース４３を装着アンロック状態から第１装着ロック状態側にスライドさせる際には仮固定フック１５６を弾性変形させて位置決めリブ１６６への係合を一時的に解除すればよい。
【００７４】
＜７．装着・封止手順及びその後の開封手順＞
以上のような主基板ケース４３を遊技機に装着する際には、まず主制御基板１３を格納した状態で主基板ケース４３を封止すると共にその主基板ケース４３にＩＣタグシール４５を貼付してシールカバー５０を装着し、更にその状態の主基板ケース４３を、予め遊技機の筐体内に固定された取付ベース３６に対して装着・封止するという手順で行う。以下、図５〜図９を参照しつつ、その装着・封止手順及びその後の開封手順を簡単に説明する。
【００７５】
（７−Ａ１．主基板ケース４３への主制御基板１３の装着）
まず、主制御基板１３を主基板ケース４３に装着するが、その前段階として、裏ケース体４１、表ケース体４２及び閉鎖封止部材４７を連結部材５２により互いに連結しておく。
【００７６】
なお、装着封止部材４８を第２裏ケース側封止装着部７４ａ内に挿入した状態で裏ケース体４１と表ケース体４２とを嵌め合わせ、互いにスライドさせて閉鎖ロック状態とし、閉鎖封止部材４７を封止部材ホルダ９３に装着して裏ケース体４１と表ケース体４２を連結すれば、未封止の主基板ケース４３を一体として容易に搬送できる。このとき、装着封止部材４８は第２封止装着部７４内に格納されており、また閉鎖封止部材４７は連結部材５２により主基板ケース４３に連結されているため、何れも脱落して紛失する心配はない。
【００７７】
主制御基板１３を装着する際には、上記のように未封止の状態で仮組みされていた主基板ケース４３の裏ケース体４１と表ケース体４２とを装着アンロック状態側にスライドさせて開放し、表ケース体４２の内側に主制御基板１３を装着する。
【００７８】
（７−Ａ２．主基板ケース４３の閉鎖・封止）
主制御基板１３を装着した表ケース体４２を、第２裏ケース側封止装着部７４ａ内に装着封止部材４８が挿入された状態の裏ケース体４１に対して、前側から嵌め合わせて閉鎖アンロック状態とする（図５（ａ））。
【００７９】
このとき、裏ケース体４１側の第１、第２裏ケース側封止装着部７３ａ、７４ａと表ケース体４２側の第１、第２表ケース側封止装着部７３ｂ、７４ｂとは互いの軸が閉鎖スライド方向にずれた状態となっている。
【００８０】
続いて、表ケース体４２を裏ケース体４１に対して右向きにスライドさせる。これにより、図２において、裏ケース体４１側の閉鎖係合手段５４が表ケース体４２側の被係合部５５ｂに係合し、主基板ケース４３は閉鎖ロック状態になる。また、裏ケース体４１側の第１、第２裏ケース側封止装着部７３ａ、７４ａと表ケース体４２側の第１、第２表ケース側封止装着部７３ｂ、７４ｂとが閉鎖スライド方向に対して直交する前後方向に互いに合致した状態となる（図５（ｂ））。
【００８１】
なおこのとき、図７から判るように、第２表ケース側封止装着部７４ｂ側の押さえリブ１２９が第２裏ケース側封止装着部７４ａ内の装着封止部材４８の挿入方向後端側に略当接するため、装着封止部材４８はその先端側の突起部１２８を貫通孔７８から裏側に突出させた状態で固定された状態となる。
【００８２】
続いて、閉鎖封止部材４７を封止部材ホルダ９３から取り外して第１封止装着部７３に挿入し、抜け止め係合爪１２３を第１表ケース側封止装着部７３ｂの裏側端部に係合させた状態（図７参照）とする（図５（ｃ））。これにより、第１裏ケース側封止装着部７３ａと第１表ケース側封止装着部７３ｂとは閉鎖スライド方向に相対移動不可能となるため、裏ケース体４１と表ケース体４２とは閉鎖ロック状態で規制される。しかも抜け止め係合爪１２３は第１裏ケース側封止装着部７３ａによって覆われた状態となるため（図７参照）、外部から抜け止め係合爪１２３の係合を解除して閉鎖封止部材４７を抜き取ることはできず、従って主基板ケース４３は閉鎖アンロック状態側へのスライドが解除不能に阻止された閉鎖封止状態となる。
【００８３】
（７−Ａ３．ＩＣタグシール４５の貼付及びシールカバー５０の装着）
続いて、ＩＣタグシール貼付面８２上にＩＣタグシール４５を貼付し、そのＩＣタグシール４５の表面を覆うようにシールカバー５０を重ね合わせ、図７に示すように結合ピン１４３を被結合部１１２の挿通スリットに貫通させることで装着する。
【００８４】
ここで、例えば以上のように封止された状態の主基板ケース４３を複数用意し、それぞれの主基板ケース４３から開封の痕跡のない状態のシールカバー５０、裏ケース体４１、表ケース体４２、閉鎖封止部材４７等をそれぞれ取り出すことに成功したとしても、裏ケース体４１、表ケース体４２及び閉鎖封止部材４７は連結部材５２（第１連結バンド部４９ａ及び第２連結バンド部４９ｂ）により互いに連結されているため、それらを組み合わせて新たな主基板ケース４３を作り出すためには連結部材５２を切断する必要がある。すなわち、複数の主基板ケース４３から取り出した裏ケース体４１、表ケース体４２、閉鎖封止部材４７等を組み合わせて新たな主基板ケース４３を作り出したとしても、連結部材５２で連結された状態までも再現することはできず、そのような不正行為を効果的に防止できる。
【００８５】
（７−Ａ４．主基板ケース４３の取付ベース３６への装着・封止）
次に、閉鎖封止状態の主基板ケース４３を、予め遊技機に固定された取付ベース３６に前側から嵌め込み、取付ベース３６側の装着係合手段５７を、表ケース体４２側の装着ガイド溝１０４内の嵌合部５８ａにそれぞれ嵌合させて装着アンロック状態とし、上下の仮固定フック１５５、１５６により仮固定する。この装着アンロック状態では、図３に示す主基板ケース４３の裏側の突起部１６５が取付ベース３６側のスライド規制部１６４の右側に係合しているため、そのままでは主基板ケース４３を第２装着ロック状態側（左側）にスライドさせることはできない。
【００８６】
続いて、仮固定フック１５６を弾性変形させて位置決めリブ１６６への係合を一時的に解除した上で、主基板ケース４３を取付ベース３６に対して右向きにスライドさせる（図６（ａ）→（ｂ））。これにより、図１に示す取付ベース３６側の装着係合手段５７が表ケース体４２側の装着被係合手段５８に係合し、主基板ケース４３は取付ベース３６に対して第１装着ロック状態となる。このとき、図６（ｂ）に示すように、主基板ケース４３側の突起部１２８が第１装着封止係合爪１５７に係合し、装着アンロック状態側へのスライドが規制される。しかも、外部から第１装着封止係合爪１５７の係合を解除することはできず、従って主基板ケース４３は取付ベース３６に対して装着アンロック状態側へのスライドが解除不能に阻止された装着封止状態となる。
【００８７】
なお、コネクタカバー４６は、主基板ケース４３を取付ベース３６に装着し、主基板ケース４３側のコネクタ６１ａにハーネス側コネクタ１０５を接続した後に装着すればよい。
【００８８】
（７−Ｂ１．主基板ケース４３の取り外し）
以上のような手順でパチンコ遊技機内に装着された主基板ケース４３を検査等のために開封する場合には、まずコネクタカバー４６を取り外してコネクタ６１ａからハーネス側コネクタ１０５を抜き取る。そして、ドライバー等の工具を用いて閉鎖蓋１１０を突き破り、閉鎖蓋１１０を除去して第２封止装着部７４の端部を開放し、その中から装着封止部材４８を抜き取る（図８）。これにより、第１装着封止係合爪１５７に係合していた突起部１２８がなくなって装着封止状態が解除されるため、仮固定フック１５６を弾性変形させて位置決めリブ１６６への係合を一時的に解除させた上で、主基板ケース４３を取付ベース３６に対して装着アンロック状態側にスライドさせることにより取付ベース３６から取り外すことができる。
【００８９】
（７−Ｂ２．シールカバー５０の取り外し及びＩＣタグシール４５の切断）
続いて、取付ベース３６から取り外した主基板ケース４３からシールカバー５０を取り外し、ＩＣタグシール４５をカッターナイフ等により切断する。これにより、主基板ケース４３は、シールカバー５０による封止状態、及びＩＣタグシール４５による封印状態が解除される。
【００９０】
（７−Ｂ３．主基板ケース４３の開封）
続いて、連結部材５２の第２連結バンド部４９ｂを切断して主基板ケース４３と閉鎖封止部材４７との連結を解除した上で、第１表ケース側封止装着部７３ｂの連結リブ１０８ａ〜１０８ｄをニッパー等の切断工具を用いて切断し、その第１表ケース側封止装着部７３ｂを閉鎖封止部材４７と共に表ケース体４２から取り外す（図９（ａ）、（ｂ））。これにより、主基板ケース４３の閉鎖封止状態が解除されるため、裏ケース体４１を表ケース体４２に対して閉鎖アンロック状態側にスライドさせることにより主基板ケース４３を開封することができる。
【００９１】
（７−Ｃ１．２回目の主基板ケース４３の封止）
本実施形態の主基板ケースユニット１４では、一度開封された後、その痕跡を残した状態でもう一度封止を行うことができるようになっている。以下、その２回目の封止、開封手順について簡単に説明する。なお、シールカバー５０は１回目の開封時に損壊させたので、２回目の封止時にこれを再び装着することはできない。また、２回目の封止には装着封止部材４８は使用しない。
【００９２】
まず、１回目の封止時と同じように、表ケース体４２を裏ケース体４１に対して前側から嵌め合わせて閉鎖アンロック状態とした後、表ケース体４２を裏ケース体４１に対して右向きにスライドさせて閉鎖ロック状態とする。このとき、装着封止部材４８は第２裏ケース側封止装着部７４ａ内へは挿入しない。
【００９３】
続いて、１回目の開封時に表ケース体４２から切り離した閉鎖封止部材４７を、今回は第１封止装着部７３ではなく第２封止装着部７４に挿入する（図１０）。なお、第２封止装着部７４を構成する第２表ケース側封止装着部７４ｂは、１回目の開封時に閉鎖蓋１１０が除去（図８参照）されて閉鎖封止部材４７を挿入可能な状態となっている。これにより、第２裏ケース側封止装着部７４ａと第２表ケース側封止装着部７４ｂとが閉鎖スライド方向に相対移動不可能となるため、裏ケース体４１と表ケース体４２とは閉鎖ロック状態で規制される。しかも抜け止め係合爪１２３は第２裏ケース側封止装着部７４ａによって覆われた状態となるため、外部から抜け止め係合爪１２３の係合を解除して閉鎖封止部材４７を抜き取ることはできず、従って主基板ケース４３は閉鎖アンロック状態側へのスライドが解除不能に阻止された閉鎖封止状態となる。
【００９４】
（７−Ｃ２．２回目の主基板ケース４３の取付ベース３６への装着・封止）
次に、主基板ケース４３を、その裏側の突起部１６５（図３）をニッパー等により除去した上で取付ベース３６に嵌め込んで装着アンロック状態とし、上下の仮固定フック１５５、１５６により仮固定する。そして、主基板ケース４３を取付ベース３６に対して第２装着ロック状態側、すなわち１回目とは逆の左向きにスライドさせる。このとき、スライド規制部１６４に対応する突起部１６５が既に除去されているため、その第２装着ロック状態側へのスライドが規制されることはない。
【００９５】
これにより、主基板ケース４３側の係合突起８０（図３）が第２装着封止係合爪１５８に係合し、装着アンロック状態側へのスライドが規制される（図１１）。しかも、外部から第２装着封止係合爪１５８の係合を解除することはできず、従って主基板ケース４３は取付ベース３６に対して装着アンロック状態側へのスライドが解除不能に阻止された装着封止状態となる。
【００９６】
（７−Ｄ１．２回目の主基板ケース４３の取り外し）
以上のように装着された主基板ケース４３を取り外す際には、まず第１封止装着部７３内にドライバー等の工具を用いて開口蓋７９（図３）を突き破り、開口蓋７９を除去して開口部８１を形成する（図１２）。そして、その開口部８１を通して第２装着封止係合爪１５８を押圧して係合突起８０への係合を解除しつつ主基板ケース４３を取付ベース３６に対して装着アンロック状態側にスライドさせることにより取付ベース３６から取り外すことができる。
【００９７】
（７−Ｄ２．２回目の主基板ケース４３の開封）
続いて、第２表ケース側封止装着部７４ｂの連結リブ１０８ｃ〜１０８ｄおよび１０７をニッパー等の切断工具を用いて切断し、その第２表ケース側封止装着部７４ｂを閉鎖封止部材４７と共に表ケース体４２から取り外す（図１３）。これにより、主基板ケース４３の閉鎖封止状態が解除されるため、裏ケース体４１を表ケース体４２に対して閉鎖アンロック状態側にスライドさせることにより主基板ケース４３を開封することができる。
【００９８】
＜８．連結リブ１０７の構造＞
ここで連結リブの切断に関して行われる可能性のある不正行為について説明する。
【００９９】
図１４は第１封止装着部７３における第１表ケース側封止装着部７３ｂの取り出し過程を示したもので、（ａ）は第１表ケース側封止装着部７３ｂの連結リブ１０８ａ〜１０８ｄをニッパー等の切断工具を用いて切断している様子を示した図、（ｂ）は表ケース体４２から第１表ケース側封止装着部７３ｂを取り外した後の空間部７３ｃを示した図、そして（ｃ）は取り外した第１表ケース側封止装着部７３ｂを示した図である。
【０１００】
このような正常な取り外し作業においては、ニッパー等の切断工具を用いて切断する作業が容易であることが好ましく、このため連結リブ１０８ａ〜１０８ｄは長方形断面の板状に形成されている。すなわち連結リブ１０８ａ〜１０８ｄをニッパー等の切断工具で切断した場合、必ずその切断の痕跡が残ることから、切断作業の容易性だけが重要視され、不正の可能性については考慮されて来なかった。
【０１０１】
ところが第２封止装着部７４について、仮に、第２表ケース側封止装着部７４ｂの両側を第１表ケース側封止装着部７３ｂと同じ長方形断面の板状の連結リブ１０８ａ〜１０８ｄにより支持する構成とした場合、第２表ケース側封止装着部７４ｂの連結リブ１０８ａ〜１０８ｄを特殊な切断工具を用いて綺麗な切り口に切断し、第２表ケース側封止装着部７４ｂを閉鎖封止部材４７と共に表ケース体４２から取り外した後（図１３）、再び第２表ケース側封止装着部７４ｂを元通りの場所に戻し、かつ透明な接着剤を用いて切断箇所を切断の痕跡が残らないように接続してしまう、という不正行為の可能性が報告された。
【０１０２】
そこで、この実施形態においては、図１５に示すように、第２表ケース側封止装着部７４ｂの片側については、長方形断面の板状をした２つの連結リブ１０８ｃ〜１０８ｄを封止支持フレーム１０９との間の空間に掛け渡すが、他の片側については、脆弱性表面１０７ａを持つ１つの連結リブ１０７を封止支持フレーム１０９との間の空間に掛け渡す構成としている。ここで脆弱性表面を持つ連結リブとは、連結リブを切断すると表面の形状が変化してしまう、という脆弱性のある特殊形状をした連結リブをいう。
【０１０３】
そのような脆弱性のある特殊形状として、この実施形態における連結リブ１０７は、その外側表面となる上面１０７ａが、第２表ケース側封止装着部７４ｂの辺に沿った方向に見て、三角断面の突条が連続する形状（三角波形状）に形成されている。また、図１６から良く判るように、連結リブ１０７は第２表ケース側封止装着部７４ｂの側から見て全体として門状に形成され、上記脆弱性表面１０７ａを持つ上辺部１０５とその両側の補強用の側辺部１０６とを有している。上辺部１０５の長さ、つまり第２表ケース側封止装着部７４ｂの連結リブ１０７が位置する側の辺に沿った方向の長さＷは、連結リブ１０７の幅に相当するものであり、この連結リブ１０７の幅Ｗは、第２表ケース側封止装着部７４ｂの辺の長さＬにほぼ等しくなっている。したがって連結リブ１０７は、幅広の１つの連結リブとして構成されている。側辺部１０６はこの連結リブ１０７の切断方向（図１６の矢印Ｙ方向）両端に位置しているため、両端の側辺部１０６の外面間は第２表ケース側封止装着部７４ｂの一辺の両端間に相当する距離だけ離れている。この離間距離は、第１裏ケース側封止装着部７３ａの連結リブ１０８ａ、１０８ｂにおける外面間の間隔と同じになっている。すなわち、連結リブ１０７は連結リブ１０８ａ、１０８ｂと同じ構成の側辺部１０６、１０６間を上辺部１０５で連結した形状となっている。
【０１０４】
図１７に示すように、連結リブ１０７は、その両側の側辺部１０６が連結リブ１０８ｃ〜１０８ｄと同じ肉厚ｔ１で同じ高さＨに形成され、この両側辺部１０６の上端間を繋ぐ形で上辺部１０５が設けられている。ここで上辺部１０５は、両側辺部１０６の肉厚ｔ１とほぼ同じかそれより若干薄い肉厚ｔ２に形成されている。この上辺部１０５の上面、すなわち連結リブ１０７の外側表面に脆弱性を付与する三角形断面の突条は、第２表ケース側封止装着部７４ｂの側辺に沿った方向、つまり切断方向（図１６の矢印Ｙ方向）に適数個の三角形が所定のピッチＰと深さｄで連続するように形成されている。この実施形態では１０個の三角断面の突条が、その断面の三角形が肉厚ｔ２に達しない深さで連続するように設けられ、これにより上面が脆弱性表面１０７ａとして形成されている。
【０１０５】
＜９．連結リブ１０７の作用＞
上記のように連結リブ１０７が構成されていると、次のような作用効果が得られる。連結リブ１０７を切断する場合は、何らかの切断工具を用いて連結リブ１０７を図１６に矢印Ｙで示すように切断することとなる。この切断は三角形断面の突条が連なっている方向に脆弱性表面１０７ａを切断することになるため、必ず一連の三角形の突起を次々と切断しなければならなくなる。これにより、切断時に三角形断面の突起先端が小さく欠ける等、その三角形の突起形状に傷が付き三角波形の連続性が損なわれ、切り口を綺麗に切断することができなくなる。
【０１０６】
したがって、連結リブ１０７を切断して不正に主基板ケース４３を開封した後、仮に切り口に透明な接着剤を塗布して連結リブ１０７の切り口同士を接続してみても、その接続箇所の脆弱性表面１０７ａに切断の痕跡が顕著に残り、外部から肉眼で直ぐに接続箇所が視認されて、不正を発見できる状態になる。このため連結リブ１０７の上面に上記三角形断面の突条のような突起を多数形成して脆弱性を付与しておくことにより、透明な接着剤を用いて切断箇所を切断の痕跡が残らないように接続してしまう、という不正行為を未然に防止することができる。
【０１０７】
＜１０．変形例＞
上記実施形態では、連結リブ１０７の脆弱性表面１０７ａを形成する突条の形状を、断面が三角波形の形状としたが、連結リブ１０７の少なくとも外側表面（図１７の紙面に沿った上方の面）に脆弱性を付与し得る断面形状であればよく、たとえば切断方向（Ｙ方向）全長に亘って、図１８（ａ）に示すような断面鋸歯状の突起が連続する鋸歯状断面波形の脆弱性表面１０７ａとし、あるいは図１８（ｂ）に示すような波状の突起が連続する波状断面波形の脆弱性表面１０７ａとすることができる。
【０１０８】
また、これらの脆弱性を付与する三角形状や鋸歯形状や波形状等の断面形状をした突条は、連結リブ１０７の切断方向（Ｙ方向）全長に亘って必ずしも連続的に存在している必要はなく、図１９（ａ）〜（ｃ）に示すように、三角波形や鋸歯状波形や波状波形から、それらを構成する一部の歯形（突起）を間引くことにより連続性が部分的に失われた形態、すなわち三角や鋸歯や波の形を間欠的に配置した形態の脆弱性表面１０７ａとすることもできる。
【０１０９】
また、連結リブ１０７の上面を鋸歯状波形の脆弱性表面１０７ａとする形態においては、図１９（ｄ）に示すように、切断方向（Ｙ方向）に見て、その鋸歯状波形の向きを途中から逆方向に変更した形態とすることもできる。さらに、この形態においても、図１９（ｅ）に示すように、鋸歯状波形から一部の鋸歯状突条を間引くことにより連続性が部分的に失われた形態、すなわち三角形や鋸歯形や波形の突条を間欠的に配置した形態とすることができる。
【０１１０】
上記実施形態では、第２表ケース側封止装着部７４ｂの側から連結リブ１０７を見て、連結リブ１０７の全体の形状を門状（図１６参照）に構成したが、図２０に示すように、（ａ）直線的に中央が下がったＭ字状、（ｂ）円弧状に中央が下がった凹面状、（ｃ）直線的に中央が上がった屋根状、（ｄ）円弧状に中央が上がった凸面状、などとして構成することができる。
【０１１１】
また上記実施形態では、三角形断面の突条が切断方向（Ｙ方向）と直交する方向に長く延在している形態について説明したが、脆弱性表面１０７ａを構成する三角形断面の突起や、鋸歯状波形の突起や、波状波形の突起は、必ずしも切断方向（Ｙ方向）と直交する方向に長く延在している必要はなく、連結リブ１０７の上面の面内に多数の突起として千鳥状にあるいは無秩序に配置されていてもよい。したがって、これらの多数の突起は、突起で文字や記号などを描くように配設することもできる。
【０１１２】
また連結リブ１０７に両側辺部１０６を設けている主たる理由は、上面１０７ａに三角波形等により脆弱性を付与した上辺部１０５を補強するものであるので、上辺部１０５に対して側辺部１０６を直角に設けることは必ずしも必要でなく、たとえば図２０（ｅ）に示すように連結リブ１０７の全体が台形になるように設けることもできる。また事情によっては両側辺部１０６の一方を省いたり、または両側辺部１０６の両方を省いて上辺部１０５のみで連結リブ１０７を構成することもできる。
【０１１３】
また上記実施形態では、第２表ケース側封止装着部７４ｂの一方の側辺についてのみ脆弱性表面１０７ａを持つ幅広の連結リブ１０７で支持したが、両側辺について、脆弱性表面１０７ａを持つ幅広の連結リブ１０７でそれぞれ支持することもできる。
【０１１４】
また上記実施形態では、第２表ケース側封止装着部７４ｂの一側辺について１つの連結リブ１０７を配設して支持したが、脆弱性表面を持つ連結リブを一側辺に対して２以上配設して、第２表ケース側封止装着部７４ｂを支持することもできる。
【０１１５】
また上記実施形態では、第２表ケース側封止装着部７４ｂにのみ脆弱性表面を持つ連結リブ１０７を設けたが、第１表ケース側封止装着部７３ｂの連結リブ１０８ｃ〜１０８ｄや１０８ａ〜１０８ｂの代わりに脆弱性表面１０７ａを持つ連結リブ１０７を設けることもできる。
【０１１６】
また上記実施形態では、連結リブ１０７の構成として、両側辺部１０６、１０６間を上辺部１０５で門状等の形に連結したが、上辺部１０５で連結せずに独立した各側辺部１０６の頂部の面（すなわち外側表面）や側面に対して、図２１に示すように脆弱性表面１０７ａを形成することもできる。図２１において、（ａ）は側辺部１０６の頂部に三角形断面の突条を設けて脆弱性表面１０７ａを形成した例、（ｂ）は側辺部１０６の頂部に側辺部１０６の肉厚方向両側に若干の平坦部を残して三角形断面の突条を設けることにより脆弱性表面１０７ａを形成した例、（ｃ）は側辺部１０６の頂部に側辺部１０６の肉厚方向両側に若干の平坦部を残して台形断面の突条を設けることにより脆弱性表面１０７ａを形成した例である。また（ｄ）は側辺部１０６の頂部に三角形断面の突条を設けて脆弱性表面１０７ａを形成すると共に、側辺部１０６の側面にも三角形断面の突条を設けて脆弱性表面１０７ａを形成した例である。
【０１１７】
また上記実施形態では、裏ケース体（第１ケース体）４１と表ケース体（第２ケース体）４２とで開閉可能に構成される基板ケース４３内に、遊技機の制御基板１３を格納し、該基板ケースを防犯用の封止手段で封止する遊技機用基板ケースの封止装置において、前記封止手段としての封止部６４が、裏ケース体４１側の封止部７３ａ、７４ａと、表ケース体４２側の封止装着部７３ｂ、７４ｂと、上記封止装着部７３ｂ、７４ｂから上記封止部７３ａ、７４ａにかけて挿入され裏ケース体４１と表ケース体４２とを封止状態にする閉鎖封止部材４７と、上記封止装着部７３ｂ、７４ｂを支持し基板ケース４３の開封時に外部から損壊して上記封止状態を解除する損壊部として連結リブ１０７、１０８ａ〜１０８ｄを備えることを前提とし、その損壊部が、少なくともその外側表面に、切断時に痕跡が残る脆弱性表面１０７ａを備えている構成とした。
【０１１８】
しかし、本発明は、このような構成に限らず他の構成の遊技機用基板ケースの封止装置に対し広く適用することができる。たとえば、（イ）第１のケースと第２のケースを一方向ネジで締結する封止構造や、（ロ）第１のケースと第２のケースを通常のネジや特殊なピンで固定し、そのネジやピンを外せないように嵌め殺しとするカバーで覆う封止構造を持ち、かつ、この封止構造の一部として、基板ケースの開封時に外部から損壊して封止状態を解除する損壊部を有する封止装置に対し、その損壊部の少なくとも外側表面に、切断時に痕跡が残る脆弱性表面１０７ａを設けることもできる。
【産業上の利用可能性】
【０１１９】
本発明は封止装着部を側方から損壊部により支持する封止構造の遊技機用基板ケースの封止装置に適用することができる。
【符号の説明】
【０１２０】
１３  主制御基板、
１４  主基板ケースユニット、
３６  取付ベース、
４１  裏ケース体（第１ケース体）、
４２  表ケース体（第２ケース体）、
４３  主基板ケース（基板ケース）、
４５  ＩＣタグシール、
４６  コネクタカバー、
４７  閉鎖封止部材、
４８  装着封止部材、
４９ａ  第１連結バンド部、
４９ｂ  第２連結バンド部、
５２  連結部材、
５３  閉鎖ロック手段、
５４  閉鎖係合手段、
５４ａ  係合脚部、
５４ｂ  係合爪部、
５５  閉鎖被係合手段、
５５ａ  嵌合部、
５５ｂ  被係合部、
５６  装着ロック手段、
５７  装着係合手段、
５７ａ  係合脚部、
５７ｂ  第１係合爪部、
５７ｃ  第２係合爪部、
５８  装着被係合手段、
５８ａ  嵌合部、
５８ｂ  第１被係合部、
５８ｃ  第２被係合部、
６１ａ  コネクタ、
６３  基板格納部、
６３ａ  裏蓋部、
６３ｂ  表蓋部、
６４  封止部、
６４ａ  裏ケース側封止部、
６４ｂ  表ケース側封止部、
６５  ＩＣタグシール貼付部、
６５ａ  裏ケース側貼付部、
６５ｂ  表ケース側貼付部、
６６ｂ  表ケース側固定部、
６７  固定ベース部、
６７ｂ  カシメピン、
６８  底壁、
６９、７０  一対の嵌合壁、
７１  基板支持リブ、
７２  裏カバー板、
７３  第１封止装着部、
７３ａ  第１裏ケース側封止装着部、
７４  第２封止装着部、
７４ａ  第２裏ケース側封止装着部、
７３ｂ  第１表ケース側封止装着部、
７４ｂ  第２表ケース側封止装着部、
７３ｃ  空間部、
７５  端部壁、
７６  底板部、
７７  嵌合鍔部、
７８  貫通孔、
７９  開口蓋、
７９ａ  薄肉部、
８０  係合突起、
８２  ＩＣタグシール貼付面、
８２ａ  裏ケース側貼付面、
８２ｂ  表ケース側貼付面、
９２  固定ベース部、
９２ａ  固定ベース板、
９２ｂ  カシメピン、
９３  封止部材ホルダ、
９３ａ  上下一対の保持片、
９４〜９７  上下左右の周壁、
９４ａ、９５ａ  内ガイド板、
９４ｂ、９５ｂ  外ガイド板、
９８  上壁、
９８ａ  低壁部、
９８ｂ  膨出部、
９９  開口、
１００ａ〜１００ｃ  凹部、
１０１  コネクタ嵌合孔、
１０２  凹部、
１０３  閉鎖ガイド溝、
１０４  装着ガイド溝、
１０５  上辺部、
１０６  側辺部、
１０７  連結リブ（損壊部）、
１０７ａ  脆弱性表面、
１０８ａ〜１０８ｄ  連結リブ（損壊部）、
１０９  封止支持フレーム、
１１０  閉鎖蓋、
１１０ａ  薄肉部、
１１２  被結合部、
１２１  挿通軸部、
１２２  鍔部、
１２３抜け止め係合爪（抜け止め部）、
１２４  固定ベース部、
１２４ｂ  カシメピン、
１２４ｃ  囲いリブ、
１２５  溝、
１２６  突条、
１２７  挿入本体部、
１２８  突起部、
１２９  押さえリブ、
１３６  固定フレーム部、
１４３  結合ピン、
１５１  ベース板、
１５２  装着レール板、
１５４  スライド規制板、
１５５、１５６  仮固定フック、
１５７、１５８  第１、第２装着封止係合爪、
１５９  第１凹入部、
１６０ａ  係合面、
１６０ｂ  案内面、
１６１  第２凹入部、
１６２、１６３  第１、第２装着嵌合溝、
１６４  スライド規制部、
１６５  突起部、
１６６  位置決めリブ。
【図１】
0005436619.tif 000002
【図２】
0005436619.tif 000003
【図３】
0005436619.tif 000004
【図４】
0005436619.tif 000005
【図５】
0005436619.tif 000006
【図６】
0005436619.tif 000007
【図７】
0005436619.tif 000008
【図８】
0005436619.tif 000009
【図９】
0005436619.tif 000010
【図１０】
0005436619.tif 000011
【図１１】
0005436619.tif 000012
【図１２】
0005436619.tif 000013
【図１３】
0005436619.tif 000014
【図１４】
0005436619.tif 000015
【図１５】
0005436619.tif 000016
【図１６】
0005436619.tif 000017
【図１７】
0005436619.tif 000018
【図１８】
0005436619.tif 000019
【図１９】
0005436619.tif 000020
【図２０】
0005436619.tif 000021
【図２１】
0005436619.tif 000022